(57)【要約】【課題】  外部誘導磁界によるノイズの影響を排除できる磁気ヘッド装置及び磁気テープ記録再生装置並びに外部誘導磁界の遮蔽方法を提供する。【解決手段】  シールドケース３、４の媒体対向面６に磁気コア７、８を備えてなる磁気ヘッドＡと、シールドカバー５とを具備してなり、シールドカバー５には上面板５ａが備えられるとともに、上面板５ａの一部を媒体対向面６の前方側に突出させるとともにその先端を媒体対向面６に向けて折り曲げさせてなる遮蔽部５ｄが設けられ、遮蔽部５ｄの磁気記録媒体の摺接方向に沿う幅が媒体対向面６の幅より狭く形成されるとともに、遮蔽部５ｄの磁気記録媒体の摺接方向の一方側に切欠部５ｆが設けられていることを特徴とする磁気ヘッド装置Ｍを提供する。【選択図】        図１
2005116091.tif 000002
【特許請求の範囲】
【請求項１】
シールドケースの媒体対向面に磁気コアを備えてなり磁気コアに磁気記録媒体が摺接される磁気ヘッドと、この磁気ヘッドに取り付けられて外部誘導磁界を遮蔽するシールドカバーとを具備してなり、
前記シールドカバーには、前記シールドケースの媒体対向面と交わる一側面に被着される上面板が備えられ、該上面板には、上面板の一部を前記媒体対向面の前方側に突出させるとともにその先端を前記媒体対向面に向けて折り曲げさせてなる遮蔽部が設けられ、該遮蔽部の前記磁気記録媒体の摺接方向に沿う幅が前記媒体対向面の幅より狭く形成されるとともに、該遮蔽部の前記磁気記録媒体の摺接方向の一方側に切欠部が設けられていることを特徴とする磁気ヘッド装置。
【請求項２】
磁気ヘッド装置の外方に前記外部誘導磁界の発生源が設けられ、前記シールドカバーの前記切欠部が、シールドカバーの外部誘導磁界の指向性曲線の膨出部分の向きを前記発生源から外れる方向に向かせる位置に設定されてなることを特徴とする請求項１に記載の磁気ヘッド装置。
【請求項３】
前記切欠部が該遮蔽部の前記磁気記録媒体の摺接方向の一方側であって前記発生源から離れた側に設けられていることを特徴とする請求項２に記載の磁気ヘッド装置。
【請求項４】
請求項１ないし請求項３のいずれかに記載の磁気ヘッド装置と、映像用ヘッドを備えた回転ドラムとを有し、テープリールから引出された磁気テープが、該回転ドラムに巻き掛けられるとともに前記磁気ヘッド装置に摺接させて構成されるテープローディング経路を具備してなることを特徴とする磁気テープ記録再生装置。
【請求項５】
請求項１ないし請求項３のいずれかに記載の磁気ヘッド装置に対する外部誘導磁界の遮蔽方法であって、前記切欠部の前記磁気記録媒体の摺接方向に沿う幅を調整することによって、シールドカバーの外部誘導磁界の指向性曲線の膨出部分の向きを前記発生源から外れる方向に向かせる位置に設定することを特徴とする磁気ヘッド装置に対する外部誘導磁界の遮蔽方法。
【発明の詳細な説明】
【技術分野】
【０００１】
本発明は、磁気ヘッド装置及び磁気テープ記録再生装置及び磁気ヘッド装置に対する外部誘導磁界の遮蔽方法に関するものであり、特に、シールドカバーを備えた磁気ヘッド装置及び磁気テープ記録再生装置及び磁気ヘッド装置に対する外部誘導磁界の遮蔽方法に関するものである。
【背景技術】
【０００２】
図１３及び図１４は、下記特許文献１に記載された従来のＶＴＲなどの磁気テープ磁気記録装置において音声の録音再生に用いられる磁気ヘッド装置の平面図及び斜視図である。図１３及び図１４において、符号１０は磁気ヘッド装置を示すもので、この磁気ヘッド装置１０は、録音再生ヘッド１１と消去ヘッド１２をそれらの側部で隣接させて一体化されてなり、磁気ヘッド装置１０にシールドカバー３０が被着されるようになっている。
【０００３】
録音再生ヘッド１１は、シールドケース１３と、このシールドケース１３の内部に固定されてシールドケース１３の前面のテープ摺接面１３ａに露出された磁気コア１４、１５を備えている。また、消去ヘッド１２は、ケース１６と、このケース１６の内部に固定されてケース１６の前面のテープ摺接面１６ａに露出された磁気コア１７を備えている。
【０００４】
また、シールドカバー３０には、録音再生ヘッド１１及び消去ヘッド１２の各テープ摺接面１３ａ、１６ａ及び録音再生ヘッド１１の消去ヘッド１２反対側の側端縁からそれぞれ前方及び側方に延長されている延長部３１が設けられている。延長部３１の前方及び側方にはそれぞれ、下側に折り曲げられた折曲部３１ａ、３１ｂが設けられている。なお、消去ヘッド１２の斜め前方側にはシールドカバー３０が延長されていない。
【０００５】
上記構成の磁気ヘッド装置１０は、各ヘッド１１、１２の前面のテープ摺接面１３ａ、１６ａに磁気テープが摺接されたときに、消去ヘッド１２の磁気コア１７で音声信号の消去を行なうとともに、録音再生ヘッド１１の磁気コア１４、１５でコントロール信号の記録と再生を行なうようになっている。
【０００６】
上述の磁気ヘッド装置１０によれば、図１３に示すような、外部誘導磁界を発するノイズ源Ｎが録音再生ヘッド１１寄り斜め前方にあったとしても、上述の延長部３１によってノイズ源Ｎからの外部誘導磁界を吸収させることができ、磁気ヘッド装置１０に対する外部誘導磁界を遮蔽できるようになっている。
【０００７】
また、図１５には、上記の複合ヘッドを備えたＶＴＲなどの磁気テープ記録再生装置１１０の平面模式図を示す。図１５において、符号１１１はモータにて回転駆動される回転ドラム、符号１１２は回転ドラム１１１に搭載された映像用ヘッド、符号１１３は送出側テープリール、符号１１４は磁気テープ、符号１１５ａ、１１５ｂはガイドポスト、符号１１６はキャプスタン、符号１１７はピンチローラ、符号１１８は巻取側テープリール、符号１２１は全幅消去ヘッドである。
【０００８】
磁気テープ記録再生装置１１０に各リール１１３、１１８及び磁気テープ１１４を備えたテープカセットを挿入すると、送出側テープリール１１３と巻き取り側テープリール１１８の間の待機位置に配置されたガイドポスト１１５ａ、１１５ｂが、図中一点鎖線の矢印方向に沿って移動することにより、磁気テープ１１４を回転ドラム１１１に巻き付けるようになっている。上記の磁気ヘッド装置１０においては、そのシールドカバー３０の一部に延長部３１が形成されておらず、これにより、シールドカバー３０がガイドポスト１１５ｂの軌道に重ならないようになっている。
【特許文献１】実開昭６２−３５４０３号公報
【発明の開示】
【発明が解決しようとする課題】
【０００９】
ところで上記の磁気ヘッド装置１０は、磁気テープ磁気記録装置１１０に組み込まれた際に、特定方向からの外部誘導磁界を十分に遮蔽できない場合がある。即ち、図１５に示す磁気テープ記録再生装置１１０においては、トランス等のノイズ源Ｎ１が録音再生ヘッド１１寄り斜め前方に配置された場合には、ノイズ源Ｎ１による外部誘導磁界をシールドカバー３０の延長部３１によって十分に遮蔽できるが、ノイズ源Ｎ２が消去ヘッド１２寄り斜め前方に配置された場合には、ノイズ源Ｎ２の外部誘導磁界に対する遮蔽効果が十分でなく、外部誘導磁界の影響を受けてしまう場合があった。ノイズ源Ｎ２の方向の遮蔽効果を高めるにはノイズ源Ｎ２側にもシールドカバーの延長部を設ける必要があるが、上述したようにノイズ源Ｎ２側にはガイドポスト１５ｂの軌道が存在するため、延長部を設けることができず、このため外部誘導磁界の遮蔽が不十分になっていた。
【００１０】
本発明は上記事情に鑑みてなされたものであって、外部誘導磁界によるノイズの影響を排除できる磁気ヘッド装置及びこの磁気ヘッド装置を備えた磁気テープ記録再生装置並びに磁気ヘッド装置に対する外部誘導磁界の遮蔽方法を提供することを目的とする。
【課題を解決するための手段】
【００１１】
上記の目的を達成するために、本発明は以下の構成を採用した。
本発明の磁気ヘッド装置は、シールドケースの媒体対向面に磁気コアを備えてなり磁気コアに磁気記録媒体が摺接される磁気ヘッドと、この磁気ヘッドに取り付けられて外部誘導磁界を遮蔽するシールドカバーとを具備してなり、前記シールドカバーには、前記シールドケースの媒体対向面と交わる一側面に被着される上面板が備えられ、該上面板には、上面板の一部を前記媒体対向面の前方側に突出させるとともにその先端を前記媒体対向面に向けて折り曲げさせてなる遮蔽部が設けられ、該遮蔽部の前記磁気記録媒体の摺接方向に沿う幅が前記媒体対向面の幅より狭く形成されるとともに、該遮蔽部の前記磁気記録媒体の摺接方向の一方側に切欠部が設けられていることを特徴とする。
【００１２】
上記のように、遮蔽部に切欠部を設けることにより、外部誘導磁界の指向性曲線の膨出部分の向きを変更することができる。従って、磁気ヘッド装置に対する外部誘導磁界の発生源の位置がいかなる位置であっても、外部誘導磁界を遮蔽することができる。また、シールドカバーの遮蔽部の幅を狭くしているので、磁気ヘッド装置の小型化を図ることができる。
【００１３】
また本発明の磁気ヘッド装置は、先に記載の磁気ヘッド装置であって、磁気ヘッド装置の外方に前記外部誘導磁界の発生源が設けられ、前記シールドカバーの前記切欠部が、シールドカバーの外部誘導磁界の指向性曲線の膨出部分の向きを前記発生源から外れる方向に向かせる位置に設定されてなることを特徴とする。
【００１４】
上記の構成により、磁気ヘッド装置に対する外部誘導磁界を遮蔽することができる。
なお、指向性曲線とは、磁気ヘッド装置に対して外部から飛び込む外部誘導磁界を減衰させる指向性を示すものであって、シールドカバーを平面視した場合においてシールドカバーを中心に８の字状になる曲線である。また、指向性曲線の膨出部分とは、外部誘導磁界に対する遮蔽効果が最も低くなる方向を示す部分である。
【００１５】
また本発明の磁気ヘッド装置は、先に記載の磁気ヘッド装置であって、前記切欠部が該遮蔽部の前記磁気記録媒体の摺接方向の一方側であって前記発生源から離れた側に設けられていることを特徴とする。
【００１６】
上記の構成によれば、切欠部を設けることで、発生源から離れた側の遮蔽部の体積を減少させると同時に、発生源に近い側の遮蔽部の体積を相対的に増加させることができ、外部誘導磁界に対する遮蔽効果を高めることができる。
【００１７】
次に本発明の磁気テープ記録再生装置は、先のいずれかに記載の磁気ヘッド装置と、映像用ヘッドを備えた回転ドラムとを有し、テープリールから引出された磁気テープが、該回転ドラムに巻き掛けられるとともに前記磁気ヘッド装置に摺接させて構成されるテープローディング経路を具備してなることを特徴とする。
【００１８】
上記の構成によれば、外部誘導磁界に対する遮蔽能力に優れた上記の磁気記ヘッド装置を備えているので、外部誘導磁界の発生源の位置を限定する必要がなく、設計自由度の高い磁気テープ記録再生装置を提供できる。また、磁気ヘッド装置を小型にできることに伴い、磁気テープ記録再生装置も小型化することができる。
【００１９】
また本発明の磁気ヘッド装置に対する外部誘導磁界の遮蔽方法は、先のいずれかに記載の磁気ヘッド装置に対する外部誘導磁界の遮蔽方法であって、前記切欠部の前記磁気記録媒体の摺接方向に沿う幅を調整することによって、シールドカバーの外部誘導磁界の指向性曲線の膨出部分の向きを前記発生源から外れる方向に向かせる位置に設定することを特徴とする。
【００２０】
上記の構成によれば、切欠部の幅を調整することによって、指向性曲線の膨出部分の向きを微調整することができ、膨出部分を発生源から外れる方向に向かせることができる。
【発明の効果】
【００２１】
以上説明したように、本発明の磁気ヘッド装置によれば、外部誘導磁界の指向性曲線の膨出部分の向きを容易に変更することができ、外部誘導磁界を遮蔽することができる。また、磁気ヘッド装置の小型化を図ることができる。
また本発明の磁気ヘッド装置に対する外部誘導磁界の遮蔽方法によれば、切欠部の幅を調整するだけで、指向性曲線の膨出部分を発生源から外れる方向に向かせることができ、磁気ヘッド装置の磁気遮蔽の設計を容易に行うことができる。
【発明を実施するための最良の形態】
【００２２】
（第１の実施形態）
以下、本発明の第１の実施形態を図面を参照して説明する。図１は本実施形態である磁気ヘッド装置の分解斜視図であり、図２は図１に示す磁気ヘッド装置の正面図であり、図３は図１に示す磁気ヘッド装置の部分断面平面図である。
【００２３】
図１及び図２に示すように、本実施形態の磁気ヘッド装置Ｍは、磁気ヘッド部Ａと、この磁気ヘッド部Ａに取り付けられたシールドカバー５とから構成されている。磁気ヘッド部Ａは、録音・再生用磁気ヘッド（以下録・再用磁気ヘッドと略称する）１と、音声消去用磁気ヘッド２とから構成されている。録・再用磁気へッド１はシールドケース３に、音声消去用磁気ヘッド２は樹脂ケース４にそれぞれコア及びコイル等が収納されて構成されている。また、消去用磁気ヘッド２は、消磁機能のないダミーヘッドであってもよい。
【００２４】
図１及び図２に示すように、シールドケース３は、例えばＮｉＦｅ合金等から構成され、かつ絞り加工等により形成されたもので、このシールドケース３には、磁気記録媒体の摺接方向に円弧状に湾曲してなる媒体対向面３ｄと、媒体対向面３ｄに隣接する一対の側面３ｃ、３ｅと、媒体対向面３ｄに隣接する上面（一側面）３ｂ及び下面３ｆとが形成されている。また、樹脂ケース４は成形加工等により形成されたもので、この樹脂ケース４には、磁気記録媒体の摺接方向に湾曲してなる媒体対向面４ｄと、媒体対向面に隣接する一対の側面４ｃ、４ｅと、媒体対向面４ｄに隣接する上面４ｂ及び下面４ｆとが形成されている。
【００２５】
録・再用磁気へッド１と消去用磁気ヘッド２は、シールドケース３及び樹脂ケース４の側面どうし３ｅ、４ｃとの間に図示略の樹脂接着剤を介在させることで相互に接着結合されて磁気ヘッド部を構成している。従って磁気ヘッド部Ａにおいては、各ヘッド１、２の媒体対向面３ｄ、４ｄが一体となって磁気ヘッド部Ａの媒体対向面６が形成されている。
【００２６】
また、録・再用磁気ヘッド１の媒体対向面３ｄにはコア７が上下２箇所に、消去用磁気ヘッド２の媒体対向面４ｄにはコア８が上部に１箇所形成されて構成されている。上部のコア７ａがオーディオ信号用、下部のコア７ｂがコントロール信号用であり、それぞれ磁気ギャップ７ｃが媒体対向面３ｄに露出している。
【００２７】
次に図１〜図３に示すように、シールドカバー５は、例えばＮｉＦｅ合金やブリキ、亜鉛メッキ鋼板などの板材をプレス加工等することにより形成されたもので、磁気ヘッド部Ａの上面３ｂ若しくは４ｂに被着される上面板５ａと、上面板５ａの両端から磁気ヘッド部Ａ側に延びて磁気ヘッド部Ａの側面３ｃ、４ｅを弾性挟持する一対の挟持部５ｂ、５ｃと、上面板５ａの一部を媒体対向面６の前方側に突出させるとともにその先端を媒体対向面６と平行に折り曲げさせてなる遮蔽部５ｄを主体として構成されている。シールドカバー５の後方側には、上面板５ａの後方端から磁気ヘッド部Ａ側に延びてシールドカバー５の前後方向を位置決めする背面部５ｅが形成されている。これら挟持部５ｂ、５ｃと遮蔽部５ｄと背面部５ｅとがプレス加工等で箱状に折り曲げ加工されて形成されている。また、上面板５ａには円形の接着樹脂注入孔５ｇが設けられ、この接着樹脂注入孔５ｇにシールドケース３及び樹脂ケース４とシールドカバー５とを接合する図示略の接着樹脂が充填されている。また、シールドカバー５は磁気ヘッド部Ａに溶接されていても良い。
【００２８】
図３に示すように、遮蔽部５ｄの磁気記録媒体の摺接方向に沿う幅Ｘ１が、媒体対向面６の幅Ｘ２より狭く形成されている。また、図１〜図３に示すように、遮蔽部５ｄの磁気記録媒体の摺接方向の一方側に切欠部５ｆが設けられている。切欠部５ｆは、トランス等の外部誘導磁界の発生源から離れた側に設けられている。このように遮蔽部５ｄの一部を切り欠いて切欠部５ｆを設けることにより、発生源から離れた側の遮蔽部５ｄの体積を減少させると同時に、発生源に近い側の遮蔽部５ｄの体積を相対的に増加させることになる。これにより、シールドカバー５の磁気遮蔽効果に影響が出て外部誘導磁界の指向性に変化が生じ、これにより磁気遮蔽性の指向性が変化する。
【００２９】
ここで、磁気ヘッド装置Ｍの指向性曲線のグラフを図４に示し、切欠部を設けなかった磁気ヘッド装置の指向性曲線のグラフを図５に示す。図４及び図５に示す指向性曲線は、シールドカバーを平面視したときの外部誘導ノイズのレベルを表したものである。図４及び図５に示すように、シールドカバーのノイズ指向性曲線は基本的に、２つの略円形の膨出部分が２つ連なった８の字曲線を描く。そして、２つの膨出部分の間に示した矢印の向きがノイズレベルの低い方向であってシールドカバーの磁気遮蔽性の指向方向である。この指向方向が外部誘導磁界に対して最も高い磁気遮蔽性を示す。逆に膨出部分のうちもっともノイズレベルの高い方向が外部誘導磁界に対して低い磁気遮蔽性を示す。
【００３０】
図４と図５を比較すると、切欠部を設けなかった図５の指向性曲線に対して、図４の指向性曲線は右回りに所定の角度αだけ回転した形状となる。このように、切欠部５ｆを設けることにより、遮蔽部５ｄの体積バランスが崩れて外部誘導ノイズの指向性を変化させることができる。そして、磁気ヘッド装置Ｍの外方に外部誘導磁界の発生源が存在する場合には、切欠部５ｆを設けることでシールドカバー５の指向性曲線の膨出部分の向きを発生源から外れる方向に向けることができ、磁気ヘッド装置Ｍに対する外部誘導磁界を遮蔽することができる。また、本実施形態の磁気ヘッド装置によれば、遮蔽部５ｄにおける切欠部５ｆの位置を変えるだけで指向性曲線の膨出部分の向きを変えることができるので、磁気遮蔽の設計の自由度を高めることができる。
なお、角度αは、シールドカバーの前方方向を０°としたときの、指向性曲線の維持レベルの低い矢印の方向の角度である。
【００３１】
図６には、上記の磁気ヘッド装置を備えた磁気テープ記録再生装置２１０を示す。図６において、符号１１１はモータにて回転駆動される回転ドラム、符号１１２は回転ドラム１１１に搭載された映像用ヘッド、符号１１３は送出側テープリール、符号１１４は磁気テープ、符号１１５ａ、１１５ｂはガイドポスト、符号１１６はキャプスタン１６、符号１１７はピンチローラ、符号１１８は巻取側テープリール、符号１２１は全幅消去ヘッドである。
この磁気テープ記録再生装置２１０においては、消去ヘッド２の斜め前方に外部誘導ノイズの発生源Ｎ３が設けられ、この発生源Ｎ３から離れた側の遮蔽部５ｄに切欠部５ｆが形成される関係になっている。
この磁気テープ記録再生装置２１０によれば、上記の磁気ヘッド装置Ｍを備えているので、外部誘導磁界の発生源の位置を限定する必要がなく、設計自由度の高い磁気テープ記録再生装置２１０を提供できる。また、磁気ヘッド装置Ｍを小型にできることに伴い、磁気テープ記録再生装置２１０も小型化することができる。また、遮蔽部５ｄの幅を狭くすることによって、ガイドポスト１１５ｂの軌道にシールドカバー５が重なる虞がない。
【００３２】
（第２の実施形態）
次に、本発明の第２の実施形態を図面を参照して説明する。図７は本実施形態である磁気ヘッド装置の分解斜視図であり、図８は図７に示す磁気ヘッド装置の正面図である。尚、図７及び図８に示す構成要素のうち、第１の実施形態で説明した構成要素と同一のものには、同一の符号を付してその説明を省略する。
【００３３】
図７及び図８に示すように、本実施形態の磁気ヘッド装置Ｋは、磁気ヘッド部Ｂと、この磁気ヘッド部Ｂに取り付けられたシールドカバー２５とから構成されている。磁気ヘッド部Ｂは、録音・再生用磁気ヘッド（以下録・再用磁気ヘッドと略称する）１のみから構成されている。録・再用磁気へッド１はシールドケース３にコア及びコイル等が収納されて構成されている。
シールドケース３には、磁気記録媒体の摺接方向に円弧状に湾曲してなる媒体対向面３ｄと、媒体対向面３ｄに隣接する一対の側面３ｃ、３ｅと、媒体対向面３ｄに隣接する上面（一側面）３ｂ及び下面３ｆとが形成されている。
【００３４】
また、録・再用磁気ヘッド１の媒体対向面３ｄにはコア７が上下２箇所に、消去用磁気ヘッド２の媒体対向面４ｄにはコア８が上部に１箇所形成されて構成されている。上部のコア７ａがオーディオ信号用、下部のコア７ｂがコントロール信号用であり、それぞれ磁気ギャップ７ｃが媒体対向面３ｄに露出している。
【００３５】
シールドカバー２５は、例えばＮｉＦｅ合金やブリキ、亜鉛メッキ鋼板などの板材をプレス加工等することにより形成されたもので、磁気ヘッド部Ａの上面３ｂに被着される上面板２５ａと、上面板２５ａの一部を媒体対向面２ｄの前方側に突出させるとともにその先端を媒体対向面３ｄと平行に折り曲げさせてなる遮蔽部２５ｄとを主体として構成されている。
また、シールドカバー２５の後方側には、上面板２５ａの後方端から磁気ヘッド部Ａ側に延びてシールドカバー２５の前後方向を位置決めする背面部２５ｅが形成されている。更にシールドカバー２５には一対の挟持部２５ｂ、２５ｃが形成されている。挟持部２５ｂ、２５ｃは、背面部２５ｅの両端から磁気ヘッド部Ａ側に延びて磁気ヘッド部Ａの側面３ｃ、３ｅを弾性挟持している。
シールドカバー２５は、これら挟持部２５ｂ、２５ｃと遮蔽部２５ｄと背面部２５ｅとがプレス加工等で箱状に折り曲げ加工されて形成されている。また、上面板２５ａには円形の接着樹脂注入部２５ｇが設けられ、この接着樹脂注入部２５ｇにシールドケース３とシールドカバー２５とを接合する図示略の接着樹脂が充填されている。また、シールドカバー２５は磁気ヘッド部Ｂに溶接されていても良い。
【００３６】
図７及び図８に示すように、遮蔽部２５ｄの磁気記録媒体の摺動方向に沿う幅が、媒体対向面６の幅よりも狭く形成されている。また、遮蔽部２５ｄの磁気記録媒体の摺接方向の一方側に切欠部２５ｆが設けられている。切欠部２５ｆは、トランス等の外部誘導磁界の発生源から離れた側に設けられている。このように遮蔽部２５ｄの一部を切り欠いて切欠部２５ｆを設けることにより、発生源から離れた側の遮蔽部２５ｄの体積を減少させると同時に、発生源に近い側の遮蔽部２５ｄの体積を相対的に増加させることになる。これにより、シールドカバー２５の磁気遮蔽効果に影響が出て外部誘導磁界の指向性に変化が生じ、これにより磁気遮蔽性の指向性が変化させることができる。
【００３７】
本実施形態の磁気ヘッド装置Ｋによれば、第１の実施形態の磁気ヘッド装置Ｍと同様な効果が得られる。
【実施例】
【００３８】
以下、実施例によって本発明を更に詳細に説明する。本実施例では、外部誘導ノイズの測定装置とその測定装置を用いて行なった試験結果について説明する。
図９は外部誘導ノイズの測定装置の一例を示すものであり、この装置は、ヘルムホルツコイル４０、４０に発振器４１と可変抵抗４２とを接続してなるもので、このヘルムホルツコイルの間に第１の実施形態の磁気ヘッド装置を設置するとともに、この磁気ヘッド装置にＢ.Ｐ.Ｆ（バンドパスフィルタ：５０Ｈｚまたは６０Ｈｚの周波数の信号のみを通すフィルタ）を介して電源４３とレコーダ４４とを接続して構成したものである。この構成の測定装置において、ヘルムホルツコイルの間に平等磁界を発生させ、磁気ヘッド装置を回転させることでノイズ指向性を測定し、ノイズ指向性曲線を得ることができる。
【００３９】
図９に示す外部誘導ノイズの測定装置を用い、図１０Ａ〜図１０Ｄに示す実験例１〜４のシールドカバーを備えた磁気ヘッド装置において、切欠部の幅により、外部誘導ノイズのレベル及び指向性が変化する割合を測定した。この例において用いるシールドケースはパーマロイからなるものを用い、シールドカバーはパーマロイからなるものであって、遮蔽部の幅を４．５８〜７．３ｍｍ（切欠部の幅で表すと２．７２〜０ｍｍ）まで変化させたものをそれぞれ用意して測定した。その結果を図９及び図１０に示す。
【００４０】
なお、図１０Ａに示すシールドカバーは遮蔽部の幅を７．３ｍｍ（切欠部の幅で表すと０ｍｍ）としたものであり、図１０Ｂに示すシールドカバーは遮蔽部の幅を６．５ｍｍ（切欠部の幅で表すと０．８ｍｍ）としたものであり、図１０Ｃに示すシールドカバーは遮蔽部の幅を５．６３ｍｍ（切欠部の幅で表すと１．６７ｍｍ）としたもの、図８Ｄに示すシールドカバーは遮蔽部の幅を４．５８ｍｍ（切欠部の幅で表すと２．７２ｍｍ）としたものである。
【００４１】
図１１には、実験例１〜４の磁気ヘッド装置の遮蔽部の幅と外部誘導磁界のレベルとの関係をグラフで示す。図１１に示すように、遮蔽部の幅が短くなると、外部誘導磁界のレベルが高くなることが分かる。この遮蔽部の幅と外部誘導磁界のレベルとの関係はほぼ一次的に比例しており、遮蔽部の幅をｘとし、外部誘導磁界のレベルをｙ１としたとき、ｙ１＝-１．０１４ｘ-７８．３６４の関係になることが分かる。
【００４２】
また、図１２には、実験例１〜４の磁気ヘッド装置の遮蔽部の幅と指向性（角度）との関係をグラフで示す。なお、図１２における指向性の角度は、図４及び図５の指向性曲線を示すグラフにおける角度αに対応するものである。図１２に示すように、遮蔽部の幅が短くなると（切欠部の幅が長くなると）、指向性曲線が右回りに回転することが分かる。この遮蔽部の幅と指向性αとの関係はほぼ一次的に比例しており、遮蔽部の幅をｘとし、指向性αをｙ２としたとき、ｙ２＝-８．６２８８ｘ＋６２．７９４の関係になることが分かる。
【００４３】
図１２に示すように、遮蔽部の幅（切欠部の幅）を変えることで、指向性を変化させることができる。従って、遮蔽部の幅を変えることで、外部誘導のノイズの発生源に対して外部誘導ノイズの指向性を微調整することができる。これにより、遮蔽効果の低い指向性曲線の膨出部分を発生源から外れる方向に向かせることができる。
【図面の簡単な説明】
【００４４】
【図１】図１は本発明の第１の実施形態である磁気ヘッド装置の分解斜視図。
【図２】図２は図１に示す磁気ヘッド装置の正面図。
【図３】図３は図１に示す磁気ヘッド装置の部分断面平面図。
【図４】図４は図１に示した磁気ヘッド装置の指向性曲線を示すグラフ。
【図５】図５は切欠部を設けなかった場合の磁気ヘッド装置の指向性曲線を示すグラフ。
【図６】図６は図１に示した磁気ヘッド装置を備えた磁気テープ記録再生装置を示す平面図。
【図７】図７は本発明の第２の実施形態である磁気ヘッド装置の分解斜視図。
【図８】図８は図７に示す磁気ヘッド装置の正面図。
【図９】図９は外部誘導ノイズの測定装置の一例を示す模式図。
【図１０】図１０は実験例１〜４の磁気ヘッド装置のシールドカバーを示す模式図。
【図１１】図１１は実験例１〜４の磁気ヘッド装置の遮蔽部の幅と外部誘導磁界のレベルとの関係を示すグラフ。
【図１２】図１２は実験例１〜４の磁気ヘッド装置の遮蔽部の幅と指向方向との関係を示すグラフ。
【図１３】図１３は従来の磁気ヘッド装置を示す平面図。
【図１４】図１４は従来の磁気ヘッド装置を示す分解斜視図。
【図１５】図１５は従来の磁気ヘッド装置を備えた磁気テープ記録再生装置を示す平面模式図。
【符号の説明】
【００４５】
３、４…シールドケース、３ｂ、４ｂ…上面（一側面）、３ｄ、４ｄ、６…媒体対向面、５、２５…シールドカバー、５ａ、２５ａ…上面板、５ｄ、２５ｄ…遮蔽部、５ｆ、２５ｆ…切欠部、７、８…コア（磁気コア）、１４…磁気テープ（磁気記録媒体）、１１２…映像用ヘッド、１１１…回転ドラム、１１３…テープリール、２１０…磁気テープ記録再生装置、Ａ、Ｂ…磁気ヘッド部（磁気ヘッド）、Ｍ、Ｋ…磁気ヘッド装置、Ｎ３…外部誘導磁界の発生源、Ｘ１…遮蔽部の幅、Ｘ２…媒体対向面の幅
【図１】
2005116091.tif 000003
【図２】
2005116091.tif 000004
【図３】
2005116091.tif 000005
【図４】
2005116091.tif 000006
【図５】
2005116091.tif 000007
【図６】
2005116091.tif 000008
【図７】
2005116091.tif 000009
【図８】
2005116091.tif 000010
【図９】
2005116091.tif 000011
【図１０】
2005116091.tif 000012
【図１１】
2005116091.tif 000013
【図１２】
2005116091.tif 000014
【図１３】
2005116091.tif 000015
【図１４】
2005116091.tif 000016
【図１５】
2005116091.tif 000017